(57)【要約】【課題】種々の周波数成分をもつ外乱に対応することができ、周期的な目標値に追従性能のよい制御装置を提供する。【解決手段】周期的に制御される出力の目標値に対応してフィードフォワード指令を生ずるフィードフォワード補償器１と、前記目標値の半周期毎に前記出力の追従誤差の積分値及び最大値を算出し、それぞれの値が所定の閾値を越えた時、前記フィードフォワード補償器のパラメータを修正するパラメータ学習器とを備え、前記パラメータ学習器は、目標値の符号と誤差の符号からパラメータの真値が現設定値より大きいかどうかを判断し、判断結果にもとづいて新設定値を算出すると共に、目標値の符号と誤差微分値の符号からパラメータの真値が現設定値より大きいかどうかを判断し、判断結果にもとづいて新設定値を算出する構成とする。【選択図】        図３
2004199289.tif 000002
【特許請求の範囲】
【請求項１】
周期的に制御される出力の目標値に対応してフィードフォワード指令を生ずるフィードフォワード補償器と、前記目標値の半周期毎に前記出力の追従誤差の積分値及び最大値を算出し、それぞれの値が所定の閾値を越えた時、前記フィードフォワード補償器のパラメータを修正するパラメータ学習器とを備え、前記パラメータ学習器は、目標値の符号と誤差の符号からパラメータの真値が現設定値より大きいかどうかを判断し、判断結果にもとづいて新設定値を算出すると共に、目標値の符号と誤差微分値の符号からパラメータの真値が現設定値より大きいかどうかを判断し、判断結果にもとづいて新設定値を算出することを特徴とする周期的な目標値に追従する出力の制御装置。
【請求項２】
前記出力は、アンテナの振り角であることを特徴とする請求項１記載の周期的な目標値に追従する出力の制御装置。
【請求項３】
固定部材に回動可能に軸支されたアンテナと、このアンテナに固定された可動側磁石と、この可動側磁石に対向して前記固定部材に設けられ前記可動磁石に所定の磁力を与える固定側磁石と、前記可動側磁石と固定側磁石の中間部に配設されたコア及び制御コイルを有し、前記制御コイルへの通電状態を制御することにより前記可動側磁石に対する磁力を制御して前記アンテナの回動量を制御する電磁石と、前記アンテナに設けられ、前記アンテナの振り角に応じた出力を生ずるセンサとから構成されるアンテナ駆動装置において、周期的なアンテナ角度指令値にもとづいて前記制御コイルに対するフィードフォワード電流指令値を決定するフィードフォワード補償器と、前記アンテナ角度指令値と前記センサの出力との差信号にもとづいてフィードバック電流指令値を決定するフィードバック補償器と、前記フィードフォワード電流指令値と前記フィードバック電流指令値とを加算して電流指令値を生成する加算器と、前記差信号を用いてアンテナ角度指令値の半周期毎に前記フィードフォワード補償器のパラメータを修正するパラメータ学習器とを備え、前記制御コイルの電流を制御して前記アンテナの振り角を制御するようにしたことを特徴とする周期的な目標値に追従する出力の制御装置。
【請求項４】
前記フィードフォワード補償器は、定常外乱が存在する場合には、定常外乱が抑制されたと判断された後にパラメータ学習を開始することを特徴とする請求項１〜請求項３のいずれか１項記載の周期的な目標値に追従する出力の制御装置。
【発明の詳細な説明】
【０００１】
【発明の属する技術分野】
この発明は、周期的な目標値に追従する出力の制御装置、例えば自動車に搭載されるレーダのアンテナの振り角を角度指令値に対して追従性よく制御する制御装置に関するものである。
【０００２】
【従来の技術】
従来のこの種制御装置において、予め定められた周期的な目標値に対して高精度なサーボ系を構成する場合には、繰返し補償器を含む制御装置がよく用いられている。（例えば非特許文献１参照）。
【０００３】
【非特許文献１】
中野  道雄，井上  悳，山本  裕，原  辰次著，「繰返し制御」，コロナ社，１９８９年１２月２５日，ｐ．１６−２３，図Ｂ．１．２
【０００４】
【発明が解決しようとする課題】
この種制御装置は、目標値と同様な周期を持つ外乱に対しては非常に優れた除去性能を持っている一方、目標値と異なる周期を持つ外乱やパラメータ誤差（変動）が制御対象に加わると、除去性能が著しく劣化してしまうという問題点があった。したがって、動作環境から色々な周波数成分をもつ外乱が加わり、なおかつ製造時の個体差や経年変化が必ず存在する車載装置の制御装置として、繰返し補償器を含む制御装置を使用するのは困難であった。
【０００５】
この発明は、このような問題点に対処するためになされたもので、種々の周波数成分をもつ外乱にも対応することができ、周期的な目標値に追従性よく制御し得る車載装置としてのアンテナ等の制御装置を提供することを目的とする。
【０００６】
【課題を解決するための手段】
この発明に係る周期的な目標値に追従する出力の制御装置は、周期的に制御される出力の目標値に対応してフィードフォワード指令を生ずるフィードフォワード補償器と、前記目標値の半周期毎に前記出力の追従誤差の積分値及び最大値を算出し、それぞれの値が所定の閾値を越えた時、前記フィードフォワード補償器のパラメータを修正するパラメータ学習器とを備え、前記パラメータ学習器は、目標値の符号と誤差の符号からパラメータの真値が現設定値より大きいかどうかを判断し、判断結果にもとづいて新設定値を算出すると共に、目標値の符号と誤差微分値の符号からパラメータの真値が現設定値より大きいかどうかを判断し、判断結果にもとづいて新設定値を算出するものである。
【０００７】
【発明の実施の形態】
実施の形態１．
以下、この発明の実施の形態１を図にもとづいて説明する。図１は、この発明を適用するアンテナ駆動装置の構成の一例を示す概略図である。このアンテナ駆動装置は、被駆動部材１０を駆動するものであり、被駆動部材１０は、例えば自動車に搭載されるレーダのアンテナである。このレーダは、自動車の周辺を監視するために使用されるレーダであり、電波を自動車の周辺に発射してその反射波から自動車の周辺の障害物などを検知する。またこのレーダは、光を自動車の周辺に照射し、その反射光によって自動車の周辺を監視するように構成することもできる。何れにせよ、アンテナ１０は電波または光を自動車の周辺に向けて発射し、またその反射波を受信するために使用され、電波または光の照射方向を変更するために、その向きまたは角度が変化される。
【０００８】
アンテナ１０は、重力や外乱振動などに影響されないように、その中央部の重心近傍に支点１１を有し、この支点１１を中心にして、揺動可能に支持されている。支点１１はベアリング１２で回転可能に支持された回転軸１３であり、この回転軸１３を中心にして、アンテナ１０が回転可能に支持されている。
ベアリング１２はプレート１４上に載せられた支持台１５上に固定されている。支持台１５上には、アンテナ１０の位置を検出するセンサ１６が付設されている。このセンサ１６は、例えば磁気を利用した磁気センサ、または光を利用した光センサである。
【０００９】
図１のアンテナ駆動装置は、アンテナ１０の左右両側に一対の電磁駆動要素２０Ａ、２０Ｂを有する。第１の電磁駆動要素２０Ａはアンテナ１０の支点１１の図において右側に配置され、その右端部を駆動し、また第２の電磁駆動要素２０Ｂはアンテナ１０の支点１１の図において左側に配置され、その左端部を駆動する。これらの電磁駆動要素２０Ａ、２０Ｂは互いに同じ構成を有し、それぞれ可動部材３０と固定部材４０を有している。各電磁駆動要素２０Ａ、２０Ｂの各可動部材３０は、被駆動部材であるアンテナ１０に取り付けられた可動側磁石３２を有する。この可動側磁石３２は円柱状に作られた磁石であり、Ｎ極として着磁された第１磁極３２ａと、Ｓ極として着磁された第２磁極３２ｂを有し、第２磁極（Ｓ極）３２ｂをアンテナ１０に接合して取り付けられている。当然、第１磁極３２ａをアンテナ１０に接合するように、変更可能である。
【００１０】
電磁駆動要素２０Ａ、２０Ｂの各固定部材４０は、各可動部材３０に対向して配置される。この各固定部材４０は、支持台１５を載せたプレート１４の左右両側上に固定される。このプレート１４は、磁性材料、例えば鉄板で作られている。各固定部材４０は、先ず固定側磁石４２を有する。この固定側磁石４２は、可動側磁石３２と同様に、円柱状に作られており、Ｎ極として着磁された第１磁極４２ａと、Ｓ極として着磁された第２磁極４２ｂを持っている。この各電磁駆動要素２０Ａ、２０Ｂの固定側磁石４２は、各電磁駆動要素２０Ａ、２０Ｂの各可動側磁石３２と対向する位置に配置されており、それぞれの第２磁極（Ｓ極）４２ｂをプレート１４に接合されて固定されている。結果として、各固定側磁石４２の第１磁極（Ｎ極）４２ａは、各可動側磁石３２の第１磁極（Ｎ極）３２ａと対向する。もちろん、可動側磁石３２の第１磁極３２ａがアンテナ１０に接合されるように変更される場合には、固定側磁石４２もそれに合わせて、第１磁極４２ａがプレート１４に接合される。
【００１１】
各電磁駆動要素２０Ａ、２０Ｂの固定部材４０は、さらに樹脂で作られたボビン４４、制御コア４６、及び制御コイル４８を有する。ボビン４４は、固定側磁石４２を覆うように設けられ、固定側磁石４２の上に制御コア４６を保持する。この制御コア４６は、円形断面を持った棒状の鉄心であり、可動側磁石３２の第１磁極（Ｎ極）３２ａと、固定側磁石４２の第１磁極（Ｎ極）４２ａとの間に配置されている。制御コア４６の上端は空隙５０を介して可動側磁石３２の第１磁極（Ｎ極）３２ａに対向しており、またその下端と固定側磁石４２の第１磁極（Ｎ極）４２ａとの間にも空隙５２が形成されている。ボビン４４は、制御コア４６の外周に、巻枠４４ａを有し、この巻枠４４ａに制御コイル４８が巻回されている。結果として、制御コイル４８は、可動側磁石３２の第１磁極３２ａと、固定側磁石４２の第１磁極４２ａとを結ぶ直線の周りに巻回され、前記直線に沿って磁束を発生する。なお、符号４８ａは、制御コイル４８に対する接続リード線であり、制御コイル４８はこれら接続リード線４８ａを経て、図示しない励磁回路に接続される。
【００１２】
各電磁駆動要素２０Ａ、２０Ｂの各固定部材４０は、それぞれの可動部材３０に対して第１、第２の２つの電磁力Ｆ１、Ｆ２をトータルした電磁力Ｆ０を与える。第１の電磁力Ｆ１は、固定側磁石４２から可動側磁石３２に与えられる電磁力である。固定側磁石４２の第１磁極（Ｎ極）４２ａが、可動側磁石３２の同極性の第１磁極（Ｎ極）３２ａに向き合っているために、固定側磁石４２から可動側磁石３２に与えられる第１の電磁力Ｆ１は、可動部材３０を固定部材４０から引き離す方向の反発電磁力であり、この反発電磁力は磁石３２、４２が永久磁石であるために、常時ほぼ一定の電磁力である。
【００１３】
各固定部材４０から対応する各可動部材３０に対して与えられる第２の電磁力Ｆ２は、制御コイル４８によって発生される。制御コイル４８は、各磁石３２、４２の第１磁極３２ａ、４２ａを結ぶ直線に沿って磁束を発生し、この磁束にもとづいて可動部材３０に与えられる電磁力Ｆ２は、制御コイル４８に流れる励磁電流の方向と大きさに比例して、その電磁力の方向と大きさが制御される。
制御コイル４８にある方向の励磁電流を流せば、この制御コイル４８による電磁力Ｆ２は、固定側磁石４２と同方向に、すなわち可動部材３０を固定部材４０から引き離す方向に、可動部材３０に与えられ、その強さはその励磁電流の大きさに比例する。制御コイル４８の励磁電流の方向を上記と逆にすれば、制御コイル４８による電磁力Ｆ２は、固定側磁石４２による反発力とは逆に、可動部材３０を固定部材４０に吸引する方向の電磁力となり、その大きさは励磁電流に比例する。
【００１４】
固定側磁石４２による反発方向の電磁力Ｆ１の方向を正極性とすると、トータル電磁力Ｆ０＝Ｆ１±Ｆ２となり、制御コイル４８の励磁電流の方向と大きさを変えることによって、トータル電磁力Ｆ０を幅広く制御することができる。
アンテナ１０は、各電磁駆動要素２０Ａ、２０Ｂからのトータル電磁力のバランスで、その向きまたは角度が制御される。
【００１５】
この実施の形態において、制御コイル４８は固定部材４０に設けられているので、その巻回数を大きくして、制御コイル４８による磁束を大きくする上で特別な制限はない。また制御コイル４８の線径も大きくして、十分大きな励磁電流を流し、その磁束を大きくするにも特別な制約はない。このため、制御コイル４８の巻回数と線径を大きくし、制御コイル４８による電磁力Ｆ２を十分に大きくできる。また、制御コア４６は、制御コイル４８による電磁力をより大きくするために有効であるが、この制御コア４６も固定部材４０に設けられているので、可動部材３０の重量を増やす心配がなく、可動部材３０を可能な限り軽量とすることにより、より高速で駆動することが可能となる。
【００１６】
さらに、制御コイル４８が可動側磁石３２の第１磁極３２ａと、固定側磁石４２の第１磁極４２ａとの間に設けられていることも重要である。制御コイル４８はこれらの磁極３２ａ、４２ａとの間に、必要な間隔を取ることが可能となる。この間隔にもとづき、制御コイル４８による磁束を磁石３２、４２に直接流さずに、少なくともその磁束の一部を磁石３２、４２を側路するように流すことができる。この結果、制御コイル４８の磁束が磁石３２、４２による磁束と逆方向に流れる場合においても、制御コイル４８による磁石３２、４２の保持力の減少を軽減することができ、従って、固定部材４０から必要な電磁力を可動部材３０に、より正確に与えて、被駆動部材１０をより正確に駆動できる。
【００１７】
また、制御コア４６と磁石３２との空隙５０及び制御コア４６と磁石４２との空隙５２も、制御コイル４８による制御性を向上する上で有効である。これらの空隙５０、５２は、制御コイル４８による磁束に対する磁石３２、４２による磁束の影響をより少なくし、制御コイル４８による磁束の変化をより大きくし、その励磁電流による制御性能を向上させる。また、磁性体からなるプレート１４は、固定側磁石４２の第２磁極４２ｂが接合されており、磁極板の作用をする。
このプレート１４は第２磁極４２ｂからの磁束及び制御コイル４８による磁束をこの磁極４２ｂの周辺に拡げ、固定側磁石４２と可動側磁石３２との磁気的結合及び制御コイル４８と可動側磁石３２との磁気的結合を強化して、可動部材３０への電磁力をより大きくする。
【００１８】
図２は、電磁駆動要素２０Ａ、２０Ｂの各制御コイル４８に対する励磁回路を示す。この励磁回路は、一対のスイッチング回路６０、７０を有し、これらの各スイッチング回路６０、７０は直流電源の正極端子Ｅ１と負極端子Ｅ２の間にそれぞれ接続されている。負極端子Ｅ２はアース電位とされている。スイッチング回路６０は、一対のスイッチ素子６１、６２を含み、これらのスイッチ素子６１、６２は例えばＮＰＮ形のパワートランジスタで構成される。スイッチ素子６１のコレクタは正極端子Ｅ１に接続され、そのエミッタはスイッチング回路６０の出力端子６３に接続されている。スイッチ素子６２のコレクタは、前記出力端子６３に、またそのエミッタは負極端子Ｅ２にそれぞれ接続される。スイッチング回路７０は一対のスイッチ素子７１、７２を含み、これらはＮＰＮ形パワートランジスタで構成される。スイッチ素子７１のコレクタは正極端子Ｅ１に、そのエミッタはスイッチング回路７０の出力端子７３にそれぞれ接続される。スイッチ素子７２のコレクタは出力端子７３に、またそのエミッタは負極端子Ｅ２にそれぞれ接続される。スイッチ素子６１、６２、７１、７２として、パワーＦＥＴと呼ばれるフィールドエフェクトトランジスタを使用することもできる。
【００１９】
電磁駆動要素２０Ａ、２０Ｂの各制御コイル４８は、スイッチング回路６０の出力端子６３と、スイッチング回路７０の出力端子７３との間に、互いに直列に接続されており、互いに関連して制御される。スイッチ素子６２、７１がＯＦＦし、スイッチ素子６１、７２がＯＮした第１の状態では、各制御コイル４８に、出力端子６３から出力端子７３に向かって、各制御コイル４８に直列に電流が流れ、逆にスイッチ素子６１、７２がＯＦＦし、スイッチ素子６２、７１がＯＮした第２の状態では、出力端子７３から出力端子６３に向かって、各制御コイル４８に電流が流れる。各制御コイル４８の励磁電流は、各制御コイル４８に付したドットで正極を示したように、互いに逆方向となっている。このため、直列接続された各制御コイル４８に流れる電流によって、電磁駆動要素２０Ａ、２０Ｂの一方の、例えば電磁駆動要素２０Ａの制御コイル４８が、その固定側磁石４２と同極性に、その可動部材３０に反発力（＋Ｆ２）を与えるときには、他方の電磁駆動要素２０Ｂの制御コイル４８は、その固定側磁石４２と逆極性に、その可動部材３０に吸引力（−Ｆ２）を与える結果となる。この場合、電磁駆動要素２０Ａのトータル電磁力はＦ０＝Ｆ１＋Ｆ２、電磁駆動要素２０Ｂのトータル電磁力はＦ０＝Ｆ１−Ｆ２となる。
【００２０】
制御コイル４８による電磁力Ｆ２の大きさを、電磁力Ｆ１の大きさより小さい範囲で調整するモードでは、各電磁駆動要素２０Ａ、２０Ｂは共に、可動部材３０に反発力を与える範囲で、その反発力の大きさが互いに逆方向に調整される。例えばスイッチ素子６１、７２がＯＮとなる第１の状態において、一方の電磁駆動要素２０Ａのトータル電磁力Ｆ０＝Ｆ１＋Ｆ２が、固定側磁石４２による反発力Ｆ１を増大するときには、他方の電磁駆動要素２０Ｂのトータル電磁力Ｆ０＝Ｆ１−Ｆ２は、その固定側磁石４２から可動部材３０への反発力Ｆ１を減少させるように調整される。図１のアクチュエータにおいて、第１電磁駆動要素２０Ａによる反発力が増大し、第２電磁駆動要素２０Ｂによる反発力が減少すると、アンテナ１０は、回転軸１５を中心に、反時計方向に回動される。スイッチ素子６２、７１がＯＮとなる第２の状態では、逆方向の調整が行われ、アンテナ１０は時計方向に回動される。何れにせよ、アンテナ１０は、２つの電磁駆動要素２０Ａ、２０Ｂの各トータル電磁力Ｆ０のバランスで、その向きまたは角度が制御される。
【００２１】
制御コイル４８による電磁力Ｆ２の大きさを、電磁力Ｆ１の大きさを超える範囲で調整するモードを採用することもできる。このモードでは、例えばスイッチ素子６１、７２がＯＮとなる第１の状態において、電磁駆動要素２０Ａのトータル電磁力Ｆ０が、その固定側磁石４２による反発力Ｆ１の２倍以上の反発力となるよう調整されるときには、他方の電磁駆動要素２０Ｂのトータル電磁力Ｆ０は、その固定側磁石４２による反発力Ｆ１と反対方向の吸引力となり、アンテナ１０は反時計方向に、より大きく動かされる。スイッチ素子６２、７１がＯＮとなる第２の状態でも、逆方向の調整が行われ、アンテナ１０は大きく時計方向に動かされる。
【００２２】
各電磁駆動要素２０Ａ、２０Ｂの制御コイル４８の励磁電流の大きさは、例えば各スイッチ素子のＯＮ／ＯＦＦ時間比率を変化させることによって調整される。例えばスイッチ素子６１、７２がＯＮする第１の状態について、その単位時間にこれらのスイッチ素子６１、７２がＯＮする比率が変化させられると、そのＯＮ／ＯＦＦ時間比率に応じた大きさの励磁電流が各制御コイル４８に供給される。同様に、スイッチ素子６２、７１がＯＮとなる第２の状態において、これらのスイッチ素子６２、７１の単位時間当たりのＯＮ／ＯＦＦ時間比率を調整することにより、励磁電流の大きさが変えられる。これらのＯＮ／ＯＦＦ時間比率の調整は、各スイッチ素子のベースへの駆動パルスの幅を変えることによって行われる。
【００２３】
この実施の形態のアンテナ駆動装置は、一対の電磁駆動要素２０Ａ、２０Ｂの各制御コイル４８の励磁電流のバランスにより、アンテナ１０の角度を制御するものであり、オープン制御で制御可能であるが、アクチュエータを高速で駆動する場合には、センサ１６からの信号によって制御コイル４８をフィードバック制御する。このフィードバック制御は、各スイッチ素子６１、６２、７１、７２のベース駆動電流を制御することによって行われる。
【００２４】
次に、上述したアンテナ駆動装置におけるアンテナの振り角を制御するための制御装置について説明する。図３は、実施の形態１による制御装置の概略構成を示すブロック図である。この図において、１は周期的なアンテナ角度指令値にもとづいて前記制御コイル４８に対するフィードフォワード電流指令値を決定するフィードフォワード補償器、ｒは目標値、ｋ1，ｋ2，ｋ3はフィードフォワード補償器のパラメータ、２はアンテナ角度指令値とセンサ１６の出力との差信号にもとづいてフィードバック電流指令値を決定するフィードバック補償器、ｅは追従誤差である。また、３は制御対象であるアンテナ駆動装置、ｕは制御コイル４８の駆動電流、ｘはアンテナの振り角である。
予め定められた周期的で２回連続可微分な目標値に、上述した制御対象３の出力ｘが追従するよう制御する２自由度制御装置であり、追従誤差を評価することによりフィードフォワード補償器１のパラメータを目標値の半周期毎に学習するようにしたものである。
【００２５】
ここで、アンテナ駆動装置の駆動電流からアンテナ振り角までのダイナミックスは、次の２次系で近似できる。
【数１】
2004199289.tif 000003
目標値の半周期毎にフィードバック補償器２で次の（式２）による追従誤差の積分値及び（式３）による追従誤差の最大値を計算し、それらのいずれかが、それぞれ適切に定められた閾値Ｍ1，Ｍ2より大きくなった場合にのみ、フィードフォワード補償器１のパラメータの学習を行う。
【００２６】
【数２】
2004199289.tif 000004
である。
（式２）あるいは（式３）のどちらかが満たされた場合、フィードフォワード補償器１のパラメータk2,k3の更新を以下の（式４） ,（式５）にもとづいて行う。
即ち、目標値の符号と誤差の符号からパラメータの真値k2*   が現在の設定値k2m より大きいか小さいかを判断し、判断結果にもとづいて新しい設定値k2m+1を式（４）により算出し、目標値の符号と誤差微分値の符号からパラメータの真値k3* が現在の設定値k3m より大きいか小さいかを判断し、判断結果にもとづいて新しい設定値k3m+1 を式（５）により算出するものである。
【００２７】
【数３】
2004199289.tif 000005
である。
フィードフォワード補償器１のパラメータk1は、学習する必要がないよう予め次の（式６）を満たすように設定する。
【００２８】
【数４】
2004199289.tif 000006
フィードバック補償器２は閉ループ系を内部安定化するように独立に設計する。
【００２９】
なお、以上の構成では、フィードバック補償器２はPD制御としているが、定常外乱が存在する場合にはPID制御とし、パラメータ学習はI項により定常外乱が抑制されたと判断された後にパラメータ学習を開始するようにする。
このような制御装置を用いることにより、パラメータの変動や外乱に対して誤学習が少なく車載装置としても追従性能のよい制御を行うことができる。
【００３０】
【発明の効果】
この発明に係る周期的な目標値に追従する出力の制御装置は、周期的に制御される出力の目標値に対応してフィードフォワード指令を生ずるフィードフォワード補償器と、前記目標値の半周期毎に前記出力の追従誤差の積分値及び最大値を算出し、それぞれの値が所定の閾値を越えた時、前記フィードフォワード補償器のパラメータを修正するパラメータ学習器とを備え、前記パラメータ学習器は、目標値の符号と誤差の符号からパラメータの真値が現設定値より大きいかどうかを判断し、判断結果にもとづいて新設定値を算出すると共に、目標値の符号と誤差微分値の符号からパラメータの真値が現設定値より大きいかどうかを判断し、判断結果にもとづいて新設定値を算出するものであるため、追従誤差から制御対象のパラメータがフィードフォワード補償器の現在設定しているパラメータより大きいか小さいかを目標アンテナ角の半周期毎に判断し、その結果を用いてフィードフォワード補償器のパラメータを学習することにより、パラメータの変動や外乱に対して誤学習が少なく車載装置としても追従性能のよい制御を行うことができる。
【図面の簡単な説明】
【図１】この発明の実施の形態１を適用するアンテナ駆動装置の構成の一例を示す概略図である。
【図２】アンテナ駆動装置の電磁駆動要素の各制御コイルに対する励磁回路を示す。
【図３】この発明の実施の形態１による制御装置の概略構成を示すブロック図である。
【符号の説明】
１０  アンテナ、    １６  センサ、    ２０Ａ、２０Ｂ  電磁駆動要素、
３０  可動部材、    ３２  可動側磁石、    ４０  固定部材、
４２  固定側磁石、  ４６  コア、    ４８  制御コイル。
【図１】
2004199289.tif 000007
【図２】
2004199289.tif 000008
【図３】
2004199289.tif 000009